(57)【要約】【課題】点滴が必要なときには迅速に点滴を実施することができ、点滴が不要なときには車椅子を円滑に移動させることができる点滴棒を備えた車椅子を提供する。【解決手段】車椅子１は、上下方向に伸びその上端部に点滴液容器支持部材１１が取り付けられた伸縮式点滴棒１０を備えている。伸縮式点滴棒１０は、車椅子１の背もたれ７の後側において、車椅子１の車輪３、４を回転可能に支持するフレーム構造２に固定又は固着されている。そして、伸縮式点滴棒１０は、テレスコープ状に嵌合する第１〜第４中空部材と、これらの第１〜第４中空部材のうち中空部材直径方向に隣り合う２つの中空部材同士をロック又はアンロックするロック機構とを有する。ここで、伸縮式点滴棒１０は、上下方向に最も縮小した状態では、背もたれ７の上端部より下側又は車椅子１の手押しハンドル７より下側に位置するように構成されている。【選択図】図１
2018094359.tif 000002
【特許請求の範囲】
【請求項１】
上下方向に伸びその上端部又は上端部近傍に点滴液容器支持部材が取り付けられた伸縮式点滴棒を備えた車椅子であって、
前記伸縮式点滴棒は、該車椅子の背もたれの後側において、該車椅子の車輪を回転可能に支持する車体又はフレーム構造に固定又は固着され、
前記伸縮式点滴棒は、テレスコープ状に嵌合する複数の中空部材と、前記複数の中空部材のうち中空部材直径方向に隣り合う２つの中空部材同士をロック又はアンロックするロック機構とを有し、
前記伸縮式点滴棒は、上下方向に最も縮小した状態では、前記背もたれの上端部より下側又は該車椅子の手押しハンドルより下側に位置するように構成されていることを特徴とする車椅子。
【請求項２】
前記ロック機構は、
中空部材直径方向に隣り合って嵌合する２つの中空部材のうち外側の中空部材の周壁に、中空部材直径方向に伸びる直線上において互いに対向する位置に形成された２つの外側貫通孔と、
中空部材直径方向に隣り合って嵌合する前記２つの中空部材のうち内側の中空部材の周壁に、中空部材直径方向に伸びる直線上において互いに対向する位置に形成された２つの内側貫通孔と、
前記２つの外側貫通孔のうちの第１の外側貫通孔と、前記２つの内側貫通孔のうちの第１の内側貫通孔とに挿入可能な第１の押しボタンと、
前記２つの外側貫通孔のうちの第２の外側貫通孔と、前記２つの内側貫通孔のうちの第２の内側貫通孔とに挿入可能な第２の押しボタンと、
前記第１の押しボタンと前記第２の押しボタンとを、中空部材直径方向に伸びる直線上において互いに離反する方向に付勢する付勢ばねとを有することを特徴とする、請求項１に記載の車椅子。
【請求項３】
中空部材直径方向において前記第１の内側貫通孔と前記第２の内側貫通孔との間に、中空部材直径方向に伸び、前記第１及び第２の押しボタンが摺動可能に挿入されるとともに、前記付勢ばねを収容するシリンダが設けられていることを特徴とする、請求項２に記載の車椅子。
【請求項４】
前記点滴液容器支持部材は、水平方向に伸びる支持棒と、前記支持棒に取り付けられた点滴液容器を吊り下げるフックと、前記支持棒を前記伸縮式点滴棒に沿って上下方向に伸びるように折り畳むことを可能にする連結具とを有することを特徴とする、請求項１〜３のいずれか１つに記載の車椅子。
【請求項５】
前記中空部材は、アルミニウム合金又は鉄系合金で形成されていることを特徴とする、請求項１〜４のいずれか１つに記載の車椅子。
【発明の詳細な説明】
【技術分野】
【０００１】  本発明は、上下方向に伸びその上端部又は上端部近傍に点滴液容器支持部材が取り付けられた伸縮式点滴棒を備えている車椅子に関するものである。
【背景技術】
【０００２】  一般に、病院等においては、しばしば患者に対して点滴（点滴静脈注射）が施されるが、点滴を開始してから完了するまでにかなりの時間を要する。そこで、患者が点滴を継続しながら移動することができるように、下端部にキャスタが付設された移動式点滴スタンドが用いられることがある。ここで、点滴が施される患者が自力で歩行できる場合は、患者は歩行しつつ移動式点滴スタンドを押したり引いたりして自在に移動させることができる。しかしながら、患者が自力で歩行することが困難であり車椅子で移動する場合は、移動式点滴スタンド用いることは極めて困難である。【０００３】  そこで、点滴液容器を吊り下げるための点滴棒を備えた車椅子が種々提案されている（例えば、特許文献１、２参照）。そして、このような点滴棒を備えた従来の車椅子では、点滴が必要なときには、例えば車椅子の車体ないしはフレーム構造に設けられた穴部（スタンド穴）に点滴棒（点滴スタンド・バー）を差し込むことにより、点滴棒を車椅子に装着する一方、点滴が不要なときには点滴棒を取り外すようにしている（特許文献１参照。）。あるいは、点滴が必要なときには、車椅子の車体ないしはフレーム構造に取り付けられた止め具（ガートル止め具）に点滴棒（ガートル）を取り付けて装着する一方、点滴が不要なときには点滴棒を取り外すようにしている（特許文献２参照。）。
【先行技術文献】
【特許文献】
【０００４】
【特許文献１】特開２０１２−６１１７８号公報
【特許文献２】特開２０１６−１６８２９６号公報
【発明の概要】
【発明が解決しようとする課題】
【０００５】  しかしながら、例えば特許文献１、２に記載された従来の車椅子では、通常は点滴棒を取り外して車椅子を使用するので、点滴が必要となり点滴棒を装着しようとしたときに、その近辺で点滴棒が見つからないことがある。この場合、医療従事者は点滴棒を捜し回らなければならず、迅速に点滴を実施することができない、といった問題がある。そこで、常時、車椅子に点滴棒を装着しておくといった対応が考えられるが、このようにすると、点滴が不要なときには、車椅子に装着されている点滴棒が周囲の人ないしは物と干渉し合い、車椅子の円滑な移動を妨げるおそれがある。【０００６】  本発明は、前記従来の問題を解決するためになされたものであって、点滴が必要なときには迅速に点滴を実施することができ、点滴が不要なときには、周囲の人ないしは物との干渉を生じさせることなく車椅子を円滑に移動させることができる点滴棒を備えた車椅子を提供することを解決すべき課題とする。
【課題を解決するための手段】
【０００７】  前記課題を解決するためになされた本発明に係る車椅子は、上下方向に伸びその上端部又は上端部近傍に点滴液容器支持部材が取り付けられた伸縮式点滴棒を備えている。この車椅子において、伸縮式点滴棒は、車椅子の背もたれの後側において、車椅子の車輪を回転可能に支持する車体又はフレーム構造に固定又は固着されている。そして、伸縮式点滴棒は、テレスコープ状に嵌合する複数の中空部材と、これらの複数の中空部材のうち中空部材直径方向に隣り合う２つの中空部材同士をロック又はアンロックするロック機構とを有する。ここで、伸縮式点滴棒は、上下方向に最も縮小した状態（下方に縮められた状態）では、背もたれの上端部より下側又は車椅子の手押しハンドルより下側に位置するように構成されている。【０００８】  本発明に係る車椅子において、ロック機構は、下記の各構成要素を有しているのが好ましい。
（１）  中空部材直径方向に隣り合って嵌合する２つの中空部材のうち外側の中空部材の周壁に、中空部材直径方向に伸びる直線上において互いに対向する位置（周壁において、円周方向に中心角で１８０°隔たった２つの位置）に形成された２つの外側貫通孔。
（２）  中空部材直径方向に隣り合って嵌合する２つの中空部材のうち内側の中空部材の周壁に、中空部材直径方向に伸びる直線上において互いに対向する位置（周壁において、円周方向に中心角で１８０°隔たった２つの位置）に形成された２つの内側貫通孔。
（３）  ２つの外側貫通孔のうちの第１の外側貫通孔と、２つの内側貫通孔のうちの第１の内側貫通孔とに挿入可能な第１の押しボタン。
（４）  ２つの外側貫通孔のうちの第２の外側貫通孔と、２つの内側貫通孔のうちの第２の内側貫通孔とに挿入可能な第２の押しボタン。
（５）  第１の押しボタンと第２の押しボタンとを、中空部材直径方向に伸びる直線上において互いに離反する方向に付勢する付勢ばね。【０００９】  本発明に係る車椅子においては、中空部材直径方向に関して第１の内側貫通孔と第２の内側貫通孔との間に、中空部材直径方向に伸び、第１及び第２の押しボタンが摺動可能に挿入されるとともに、付勢ばねを収容するシリンダが設けられているのが好ましい。【００１０】  本発明に係る車椅子において、点滴液容器支持部材は、水平方向に伸びる支持棒と、支持棒に取り付けられた点滴液容器を吊り下げるフックと、支持棒を伸縮式点滴棒に沿って上下方向に伸びるように折り畳むことを可能にする連結具とを有しているのが好ましい。【００１１】  本発明に係る車椅子において、中空部材は、例えばアルミニウム、アルミニウム合金、鉄系合金又はスチールで形成されているのが好ましい。
【発明の効果】
【００１２】  本発明に係る車椅子によれば、点滴棒が車椅子の車体又はフレーム構造に固定又は固着されているので、点滴棒が所在不明となることはなく、点滴が必要なときには、伸縮式点滴棒を上向きに伸長させて迅速に点滴を実施することができる。また、点滴が不要なときには、伸縮式点滴棒を下向きに縮小させて、背もたれの上端部より下側又は車椅子の手押しハンドルより下側に位置させることができるので、伸縮式点滴棒は周囲の人ないしは物と干渉し合うことはない。したがって、伸縮式点滴棒は車椅子の移動ないしは走行の妨げとはならず、車椅子を円滑に移動又は走行させることができる。
【図面の簡単な説明】
【００１３】
【図１】図１は、本発明に係る伸縮式点滴棒を備えた車椅子の斜視図である。
【図２】図２（ａ）〜（ｄ）は、伸縮式点滴棒の構成要素である、テレスコープ状に嵌合する４つの中空部材の模式的な立面断面図であり、図２（ａ）は最も縮小した状態を示し、図２（ｄ）は最も伸長した状態を示し、図２（ｂ）〜（ｃ）は中間的な伸縮状態を示している。
【図３】図３（ａ）〜（ｂ）は、中空部材直径方向に隣り合う内側及び外側の中空部材の連結態様を示す模式的な立面断面図であり、図３（ａ）は両中空部材が連結された状態を示し、図３（ｂ）は両中空部材の連結が解除された状態を示している。
【図４】図４は、図１に示す車椅子の模式的な側面図であり、伸縮式点滴棒が最も縮小した状態と最も伸長した状態とが仮想線で示されている。
【発明を実施するための形態】
【００１４】  以下、添付の図面を参照しつつ、本発明の実施形態を具体的に説明する。
図１に示すように、本発明に係る車椅子１においては、車椅子１の骨格をなすフレーム構造２（車体）に、１対の大径の後輪３（駆動輪）と１対の小径の前輪４（キャスタ）とが回転可能に取り付けられている。なお、後輪３には、車椅子使用者が手回しで後輪３を駆動するためのハンドリム３ａが付設されている。また、フレーム構造２には、車椅子使用者のための、着座シート５と、１対の肘掛け６（アームサポート）と、背もたれ７（バックサポート）と、フットレスト８とが取り付けられている。さらに、フレーム構造２には、車椅子使用者の介護者が車椅子１を移動させるための１対の手押しハンドル９が取り付けられている。
【００１５】  車椅子１には、点滴液容器（図示せず）を保持するための伸縮式点滴棒１０が付設されている。伸縮式点滴棒１０の上端部には、点滴液容器（図示せず）を吊り下げるための点滴液容器支持部材１１が取り付けられている。また、伸縮式点滴棒１０の下端部は、フレーム構造２に連結又は接続された点滴棒支持部材１２に固定又は固着されている。点滴棒支持部材１２は、車椅子１の右側の手押しハンドル９のやや左側において、後輪３の回転軸よりやや下側に配置されている。なお、伸縮式点滴棒１０の下端部又は下端近傍部をフレーム構造２に直接固定又は固着してもよい。
【００１６】  点滴液容器支持部材１１は、連結具１３を介して、伸縮式点滴棒１０の上端部に取り付けられ水平方向に伸びる１対の支持棒１４と、それぞれ支持棒１４の先端部に取り付けられ点滴液容器（図示せず）を吊り下げるための１対のフック１５とを備えている。連結具１３は、両支持棒１４を矢印Ｐ１、Ｐ２で示すように回動させて、両支持棒１４を伸縮式点滴棒１０に沿って下方に伸びるように折り畳むことを可能にする。なお、両支持棒１４を伸縮式点滴棒１０に沿って上方に伸びるように折り畳むようにしてもよい。
【００１７】  図２（ａ）〜（ｄ）に示すように、伸縮式点滴棒１０は、テレスコープ状に嵌合する第１〜第４中空部材２０〜２３と、第１〜第４中空部材２０〜２３のうち中空部材直径方向に隣り合う２つの中空部材同士をロック又はアンロックする３つのロック機構とを有する。なお、各ロック機構は、１対のロック装置を備えている。ここで、第１中空部材２０は第２中空部材２１の中空部に収容することができ、第２中空部材２１は第３中空部材２２の中空部に収容することができ、第３中空部材２２は第４中空部材２３の中空部に収容することができる。
【００１８】  したがって、伸縮式点滴棒１０は、３つのロック機構のロック・アンロック状態を変えることにより、図２（ａ）に示す最も縮小された状態と、図２（ｄ）に示す最も伸長した状態の間で、その長さを４段階で変えることができる。すなわち、すべてのロック機構をアンロック状態にすれば、図２（ａ）に示す最も縮小された状態となる。第３中空部材２２と第４中空部材２３の間のロック機構のみをロック状態にすれば、図２（ｂ）に示す状態となる。さらに、第２中空部材２１と第３中空部材２２の間のロック機構をロック状態にすれば、図２（ｃ）に示す状態となる。さらに、第１中空部材２０と第２中空部材２１の間のロック機構をロック状態にすれば、図２（ｄ）に示す最も伸長した状態となる。
【００１９】  以下、図３（ａ）〜（ｂ）を参照しつつ、第１中空部材２０と第２中空部材２１の間をロックし又はロックを解除する（アンロックする）ロック機構の構成及び機能を説明する。図３（ａ）は第１中空部材２０と第２中空部材２１とがロックされた状態を示し、図３（ｂ）は第１中空部材２０と第２中空部材２１とがアンロックされた状態（ロックされていない状態）を示している。なお、第２中空部材２１と第３中空部材２２の間のロック機構、及び第３中空部材２２と第４中空部材２３の間のロック機構の構成及び機能も同様である。
【００２０】  図３（ａ）に示すように、ロック機構は、下記の各構成要素で構成されている。
（１）  第１中空部材２０のシリンダ２５
第１中空部材２０（内側の中空部材）に円筒形のシリンダ２５が設けられ、このシリンダ２５は、第１中空部材直径方向に伸びる直線上において互いに対向する位置（周壁において、円周方向に中心角で１８０°隔たった２つの位置）に形成された２つの内側貫通孔２４にまたがって直線状に伸び、その各端部は、対応する内側貫通孔２４に嵌入されている。
【００２１】（２）  第２中空部材２１の外側貫通孔２６
第２中空部材２１（外側の中空部材）の周壁に、第２中空部材直径方向に伸びる直線上において互いに対向する位置（周壁において、円周方向に中心角で１８０°隔たった２つの位置）に、円柱形の１対の外側貫通孔２６が設けられている。これらの外側貫通孔２６の内径はシリンダ２５の内径と同一である。
【００２２】（３）  押しボタン２７
ロック機構には、シリンダ２５及び一方の外側貫通孔２６に嵌入又は挿入することができる押しボタン２７と、シリンダ２５及び他方の外側貫通孔２６に嵌入又は挿入することができるもう１つの押しボタン２７とが設けられている。
【００２３】（４）  付勢ばね２８
シリンダ２５の中空部において、両押しボタン２７間に、両押しボタン２７をシリンダ中心軸の伸びる方向に互いに離反する方向に付勢する付勢ばね２８（例えば、コイルばね）が収容されている。
【００２４】  かくして、図３（ａ）に示すように、各押しボタン２７が、シリンダ２５と外側貫通孔２６とにまたがって嵌入ないしは挿入されているときには、第１中空部材２０と第２中空部材２１とが、ロック機構によってロックされる。このように第１中空部材２０と第２中空部材２１とがロックされた状態にあるときに、両押しボタン２７を指で同時に内側に押し込めば、両押しボタン２７と第２中空部材２１の両外側貫通孔２６との嵌合ないしは係合が解除される。
【００２５】  この状態で、第１中空部材２０を下方に移動させれば、図３（ｂ）に示すように、第１中空部材２０は第２中空部材２１の中空部に収容される。すなわち、伸縮式点滴棒１０は、図２（ｄ）に示す状態から、図２（ｃ）に示す状態に変化する。なお、この状態から第１中空部材２１を上向きに引き上げれば、元の位置で、両押しボタン２７と第２中空部材２１の両外側貫通孔２６とが自然に嵌合ないしは係合し、第１中空部材２０と第２中空部材２１とが、ロック機構によってロックされる。
【００２６】  前記のとおり、第２中空部材２１と第３中空部材２２の間のロック機構、及び第３中空部材２２と第４中空部材２３の間のロック機構の構成及び機能は、第１中空部材２０と第２中空部材２１の間のロック機構と同様であるので、同様の手順で、伸縮式点滴棒１０を、図２（ｃ）に示す状態から、図２（ｂ）に示す状態、さらには図２（ａ）に示す状態に変化させることができる。また２（ａ）に示す状態から、第１〜第３中空部材２０〜２２を上向きに移動させることにより、図２（ｂ）に示す状態、図２（ｃ）に示す状態、さらには図２（ｄ）に示す様態に変化させることができる。
【００２７】  この車椅子１では、伸縮式点滴棒１０は、上下方向に最も縮小した状態では、その上端部が背もたれ７の上端部より下側又は手押しハンドル９より下側に位置するように構成されている。また、伸縮式点滴棒１０は、上下方向に最も伸長した状態では、その上端部が点滴液容器（図示せず）の配置に適した高さのところに位置するように構成されている。
【００２８】  車椅子使用者が点滴をしつつ車椅子１を使用するときには、伸縮式点滴棒１０を最も伸長した状態にし、点滴液容器（図示せず）をフック１５に吊り下げ、車椅子使用者に点滴を施せばよい。この場合、図４に示すように、伸縮式点滴棒１０の上端部の地上からの高さＨ１は、例えば１．８〜１．９ｍとなり、車椅子使用者に支障なく点滴を施すことができる。この車椅子１では、伸縮式点滴棒１０が車椅子１のフレーム構造２に固定又は固着されているので、どのような場合でもこれを見失うことはなく、点滴が必要なときには迅速に点滴を実施することができる。
【００２９】  他方、車椅子使用者が点滴をせずに車椅子１を使用するときには、伸縮式点滴棒１０を最も縮小した状態にして車椅子１を使用すればよい。この場合、伸縮式点滴棒１０の上端部は背もたれ７の上端部より下側又は手押しハンドル９より下側に位置する。したがって、図４に示すように、伸縮式点滴棒１０の上端部の地上からの高さＨ２は、例えば０．６〜０．９ｍとなり、車椅子１の使用時に、伸縮式点滴棒１０が周囲の人ないしは物と干渉し合うことはほとんどなく、車椅子１を円滑に移動又は走行させることができる。
【符号の説明】
【００３０】  １  車椅子、２  フレーム構造（車体）、３  後輪（駆動輪）、４  前輪（キャスタ）、５  着座シート、６  肘掛け（アームレスト）、７  背もたれ（バックサポート）、８  フットレスト、９  手押しハンドル、１０  伸縮式点滴棒、１１  点滴液容器支持部材、１２  点滴液容器支持部材、１３  連結具、１４  支持棒、１５  フック、２０  第１中空部材、２１  第２中空部材、２２  、第３中空部材、２３  第４中空部材、２４  内側貫通孔、２５  シリンダ、２６  外側貫通孔、２７  押しボタン、２８  付勢ばね。
【図１】
2018094359.tif 000003
【図２】
2018094359.tif 000004
【図３】
2018094359.tif 000005
【図４】
2018094359.tif 000006